【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向と、
前胴回り域、後胴回り域、及び前記前胴回り域及び前記後胴回り域との間に配置された股下域と、
少なくとも前記股下域に配置された吸収コアと、
前記後胴回り域に配置され、かつ前記前胴回り域に止着可能なファスニングテープと、
前記前胴回り域及び前記後胴回り域において、前記幅方向に沿って延びる胴回り保持領域と、を有する使い捨ておむつであって、
前記吸収コアには、前側に向かって前記幅方向の外側に延び、かつ前記幅方向に間隔を空けて配置された一対の変形基点部が設けられており、
前記前胴回り域における前記胴回り保持領域の後端縁を通り、かつ前記幅方向に延びる第１仮想線と、前記使い捨ておむつの前記前後方向の中心を通り、前記幅方向に延びる第２仮想線と、前記第１仮想線と前記第２仮想線の前記前後方向の中心を通り、かつ前記幅方向に延びる第３仮想線と、を設定すると、
前記変形基点部の少なくとも一部は、前記第１仮想線と前記第３仮想線との間の腹部領域に設けられており、
前記変形基点部の後端縁は、前記第２仮想線よりも前側に位置する、使い捨ておむつ。
【請求項２】
前記変形基点部の後端縁は、前記第３仮想線よりも前側に位置する、請求項１に記載の使い捨ておむつ。
【請求項３】
互いに直交する前後方向及び幅方向と、
前胴回り域、後胴回り域、及び前記前胴回り域及び前記後胴回り域との間に配置された股下域と、
少なくとも前記股下域に配置された吸収コアと、
前記後胴回り域に配置され、かつ前記前胴回り域に止着可能なファスニングテープと、
前記前胴回り域及び前記後胴回り域において、前記幅方向に沿って延びる胴回り保持領域と、を有する使い捨ておむつであって、
前記吸収コアには、前側に向かって前記幅方向の外側に延び、かつ前記幅方向に間隔を空けて配置された一対の変形基点部が設けられており、
前記前胴回り域における前記胴回り保持領域の後端縁を通り、かつ前記幅方向に延びる第１仮想線と、前記使い捨ておむつの前記前後方向の中心を通り、前記幅方向に延びる第２仮想線と、前記第１仮想線と前記第２仮想線の前記前後方向の中心を通り、かつ前記幅方向に延びる第３仮想線と、を設定すると、
前記変形基点部の少なくとも一部は、前記第１仮想線と前記第３仮想線との間の腹部領域に設けられており、
前記第２仮想線を跨いで前記前後方向に延び、かつ前記吸収コアの厚さ方向の変形を誘導する股下変形誘導部を有し、
前記股下変形誘導部と前記変形基点部は、離間している、使い捨ておむつ。
【請求項４】
前記変形基点部の前端縁は、前記第１仮想線と前記前後方向において離間している、請求項１から請求項３のいずれか１項に記載の使い捨ておむつ。
【請求項５】
前記第１仮想線と前記第３仮想線の前記前後方向の中心を通り、かつ前記幅方向に延びる第４仮想線を設定すると、
前記変形基点部の前端縁は、前記第４仮想線よりも前側に位置している、請求項４に記載の使い捨ておむつ。
【請求項６】
前記第１仮想線と前記第３仮想線の前記前後方向の中心を通り、かつ前記幅方向に延びる第４仮想線を設定すると、
前記変形基点部の前端縁は、前記第４仮想線よりも後側に位置している、請求項４に記載の使い捨ておむつ。
【請求項７】
前記吸収コアは、前記吸収コアの前記幅方向の全域を４等分した領域のうち、前記幅方向の両側部に位置する一対の側部領域を有し、
前記変形基点部の外側縁は、前記側部領域に位置する、請求項１から請求項６のいずれか１項に記載の使い捨ておむつ。
【請求項８】
前記吸収コアは、前記吸収コアの前記幅方向の全域を４等分した領域のうち、前記幅方向の中央側に位置する一対の中央領域を有し、
前記変形基点部の内側縁は、前記中央領域に位置する、請求項１から請求項７のいずれか１項に記載の使い捨ておむつ。
【請求項９】
各変形基点部の前記幅方向の長さは、前記吸収コアの前記幅方向の全域に対する１／４以上である、請求項１から請求項８のいずれか１項に記載の使い捨ておむつ。
【請求項１０】
前記第２仮想線を跨いで前記前後方向に延び、かつ前記吸収コアの厚さ方向の変形を誘導する股下変形誘導部を有し、
前記変形基点部は、前記股下変形誘導部の前端縁から前側に延びる誘導延長線上に配置されている、請求項１から請求項９のいずれか１項に記載の使い捨ておむつ。
【請求項１１】
一対の変形基点部を構成する各変形基点部から前記変形基点部に沿って延びる変形延長線同士が交わる変形交点は、前記第３仮想線よりも前記前側に位置している、請求項１から請求項１０のいずれか１項に記載の使い捨ておむつ。
【請求項１２】
前記変形基点部の前端縁は、前記第１仮想線と前記前後方向において離間しており、
前記第１仮想線と前記第３仮想線の前後方向の中心を通り、かつ前記幅方向に延びる第４仮想線を設定すると、
前記変形交点は、前記第４仮想線よりも前記前側に位置している、請求項１１に記載の使い捨ておむつ。
【請求項１３】
前記第１仮想線と前記第３仮想線の前後方向の中心を通り、かつ前記幅方向に延びる第４仮想線を設定すると、
前記変形交点は、前記第４仮想線よりも前記後側に位置している、請求項１２に記載の使い捨ておむつ。
【請求項１４】
各変形基点部から前記変形基点部に沿って延びる変形延長線と、前記吸収コアの外側縁と、が交わるコア交点は、前記第１仮想線よりも後側に位置する、請求項１から請求項１３のいずれか１項に記載の使い捨ておむつ。
【請求項１５】
前記変形基点部の最大幅は、前記変形基点部と近接する領域における前記吸収コアの厚みよりも長い、請求項１から請求項１４のいずれか１項に記載の使い捨ておむつ。
【請求項１６】
前記一対の変形基点部の間には、前記変形基点部よりも前記幅方向の外側の領域よりも剛性が高い高剛性部が設けられている、請求項１から請求項１５のいずれか１項に記載の使い捨ておむつ。
【請求項１７】
前記一対の変形基点部は、前記幅方向において連なっている、請求項１から請求項１５のいずれか１項に記載の使い捨ておむつ。
【請求項１８】
前記胴回り保持領域の前記前後方向の内端縁よりも前記前後方向の外側には、前記幅方向に伸縮する伸縮性部材が設けられている、請求項１から請求項１７のいずれか１項に記載の使い捨ておむつ。
【請求項１９】
前記第１仮想線よりも前側には、前記第１仮想線から後側に延びる領域よりも剛性が高いウエスト剛性領域が設けられている、請求項１から請求項１８のいずれか１項に記載の使い捨ておむつ。
【請求項２０】
前記一対の変形基点部は、一対の第１変形基点部と、前記一対の第１変形基点部よりも後側に位置する一対の第２変形基点部と、を有する、請求項１から請求項１９のいずれか１項に記載の使い捨ておむつ。
【請求項２１】
前記第１変形基点部の前記幅方向に対する第１角度は、前記第２変形基点部の前記幅方向に対する第２角度よりも小さい、請求項２０に記載の使い捨ておむつ。
【請求項２２】
前記第１変形基点部の前端縁から前記第１変形基点部に沿って延びる第１変形延長線と、前記第２変形基点部の前端縁から第２変形基点部に沿って延びる第２変形延長線は、前記吸収コアの外側縁よりも前記幅方向の外側において交わる、請求項２０又は請求項２１に記載の使い捨ておむつ。
【請求項２３】
前記第１変形基点部と前記第２変形基点部は、前記前後方向において離間している、請求項２０から請求項２２のいずれか１項に記載の使い捨ておむつ。